(57)【要約】【課題】良好な光学性能を有するレンズ鏡筒および撮像装置を提供する。【解決手段】本発明のレンズ鏡筒２０は、光軸ＯＡに沿って被写体側から順に配置された絞り部材２００及びレンズ枠Ｆ４と、カメラボディ１０から絞り駆動力を絞り部材２００に伝達する駆動力伝達部材１４０と、を備えるレンズ鏡筒２０であって、駆動力伝達部材１４０は、レンズ鏡筒２０がカメラボディ１０に装着された際に、該カメラボディ１０から絞り駆動力を伝達される係合部１１０と、係合部１１０から被写体側に延びるマウント側腕部１１２と、絞り部材２００からマウント側に延びる被写体側腕部２３１と、被写体側腕部２３１とマウント側腕部１１２との間を中継して絞り駆動力を伝達する中継腕部１４１と、中継腕部１４１に設けられるとともに、該中継腕部１４１の回転中心となる軸部１４３と、を有し、軸部１４３はレンズ枠Ｆ４に対して、振動が伝達しないように設けられている。【選択図】図４
2013083694.tif 000002
【特許請求の範囲】
【請求項１】
光軸に沿って被写体側から順に配置された絞り部材及びレンズ枠と、
カメラボディから絞り駆動力を前記絞り部材に伝達する駆動力伝達部材と、を備えるレンズ鏡筒であって、
前記駆動力伝達部材は、
前記レンズ鏡筒がカメラボディに装着された際に、該カメラボディから前記絞り駆動力を伝達される係合部と、
前記係合部から被写体側に延びるマウント側腕部と、
前記絞り部材からマウント側に延びる被写体側腕部と、
前記被写体側腕部と前記マウント側腕部との間を中継して前記絞り駆動力を伝達する中継腕部と、
前記中継腕部に設けられるとともに、該中継腕部の回転中心となる軸部と、
を有し、
前記軸部は前記レンズ枠に対して、振動が伝達しないように設けられていることを特徴とするレンズ鏡筒。
【請求項２】
請求項１に記載のレンズ鏡筒であって、
前記軸部を保持する円環状の軸保持枠を有し、
前記軸保持枠は前記レンズ枠に対して振動が伝達しないように設けられていることを特徴とするレンズ鏡筒。
【請求項３】
請求項２に記載のレンズ鏡筒であって、
前記軸保持枠と前記レンズ枠との間に弾性部材が配置されていること、
を特徴とするレンズ鏡筒。
【請求項４】
請求項２または３に記載のレンズ鏡筒であって、
前記軸保持枠および前記レンズ枠は、外周面に設けられたガイドピンをそれぞれ備え、
前記軸保持枠のガイドピンおよび前記レンズ枠のガイドピンが係合する溝部が形成された筒状部材を備えること、
を特徴とするレンズ鏡筒。
【請求項５】
請求項２または３に記載のレンズ鏡筒であって、
光軸に沿って延びるとともに、前記軸保持枠および前記レンズ枠の直進移動を案内するガイドバーを備えること、
を特徴とするレンズ鏡筒。
【請求項６】
請求項４に記載のレンズ鏡筒であって、
前記ガイドバーは、２本設けられ、
前記レンズ枠及び前記軸保持枠は、貫通孔と、径方向の移動が可能な遊挿孔との２つの孔をそれぞれ備え、
前記貫通孔が設けられている部分の光軸方向の厚みは、前記遊挿孔が設けられている部分より厚く、
前記ガイドバーの一方には、前記レンズ枠の貫通孔と前記軸保持枠の遊挿孔が挿入され、
前記ガイドバーの他方には、前記レンズ枠の遊挿孔と前記軸保持枠の貫通孔が挿入されていること、
を特徴とするレンズ鏡筒。
【請求項７】
請求項１から６のいずれか１項に記載のレンズ鏡筒であって、
前記レンズ鏡筒は、焦点距離を変更可能なズームレンズ鏡筒であり、
前記被写体側腕部と前記中継腕部と前記マウント側腕部との相対位置関係は、焦点距離に応じて変化することを特徴とするレンズ鏡筒。
【請求項８】
請求項１から請求項７のいずれか１項に記載のレンズ鏡筒を備える撮像装置。
【発明の詳細な説明】
【技術分野】
【０００１】
本発明は、レンズ鏡筒および撮像装置に関するものである。
【背景技術】
【０００２】
高倍率ズームのレンズ鏡筒においては、変倍時の絞りの移動量が大きくなる。カメラボディからメカニカルに絞りを制御する場合、カメラボディから絞りまで絞り駆動力を伝達する伝達系が長くなる。このため、従来、伝達系の中間に位置する移動レンズ群上に中継部材を設け、カメラボディからの絞り駆動を中継部材で中継しているものがある（例えば、特許文献１参照）。
【先行技術文献】
【特許文献】
【０００３】
【特許文献１】特開平５−１１９３６７号公報
【発明の概要】
【発明が解決しようとする課題】
【０００４】
しかし、絞り駆動時において、その中継部材を保持する移動レンズ群に対して直接荷重が加わるため、移動レンズ群が振動し、光学性能に劣化が生じる可能性がある。
本発明の課題は、良好な光学性能を有するレンズ鏡筒および撮像装置を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、光軸（ＯＡ）に沿って被写体側から順に配置された絞り部材（２００）及びレンズ枠（Ｆ４）と、カメラボディ（１０）から絞り駆動力を前記絞り部材（２００）に伝達する駆動力伝達部材（１４０）と、を備えるレンズ鏡筒（２０）であって、前記駆動力伝達部材（１４０）は、前記レンズ鏡筒（２０）がカメラボディ（１０）に装着された際に、該カメラボディ（１０）から前記絞り駆動力を伝達される係合部（１１０）と、前記係合部（１１０）から被写体側に延びるマウント側腕部（１１２）と、前記絞り部材（２００）からマウント側に延びる被写体側腕部（２３１）と、前記被写体側腕部（２３１）と前記マウント側腕部（１１２）との間を中継して前記絞り駆動力を伝達する中継腕部（１４１）と、前記中継腕部（１４１）に設けられるとともに、該中継腕部（１４１）の回転中心となる軸部（１４３）と、を有し、前記軸部（１４３）は前記レンズ枠（Ｆ４）に対して、振動が伝達しないように設けられていることを特徴とするレンズ鏡筒（２０）である。
請求項２に記載の発明は、請求項１に記載のレンズ鏡筒（２０）であって、前記軸部（１４３）を保持する円環状の軸保持枠（１４２）を有し、前記軸保持枠（１４２）は前記レンズ枠（Ｆ４）に対して振動が伝達しないように設けられていることを特徴とするレンズ鏡筒（２０）である。
請求項３に記載の発明は、請求項２に記載のレンズ鏡筒（２０）であって、前記軸保持枠（１４２）と前記レンズ枠（Ｆ４）との間に弾性部材（１４４，３０２，３０３）が配置されていること、を特徴とするレンズ鏡筒（２０）である。
請求項４に記載の発明は、請求項２または３に記載のレンズ鏡筒（２０）であって、前記軸保持枠（１４２）および前記レンズ枠（Ｆ４）は、外周面に設けられたガイドピン（１４２Ｐ）をそれぞれ備え、前記軸保持枠（１４２）のガイドピン（１４２Ｐ）および前記レンズ枠（Ｆ４）のガイドピン（４１）が係合する溝部（２２Ｓ）が形成された筒状部材（２２）を備えること、を特徴とするレンズ鏡筒（２０）である。
請求項５に記載の発明は、請求項２または３に記載のレンズ鏡筒（２０）であって、光軸（ＯＡ）に沿って延びるとともに、前記軸保持枠（１４２）および前記レンズ枠（Ｆ４）の直進移動を案内するガイドバー（１５０）を備えること、を特徴とするレンズ鏡筒（２０）である。
請求項６に記載の発明は、請求項４に記載のレンズ鏡筒（２０）であって、前記ガイドバー（１５０）は、２本設けられ、前記レンズ枠（Ｆ４）及び前記軸保持枠（１４２）は、貫通孔（４２Ａ、１４２Ａａ）と、径方向の移動が可能な遊挿孔（１４２Ｂａ，４３Ａ）との２つの孔をそれぞれ備え、前記貫通孔（４２Ａ、１４２Ａａ）が設けられている部分の光軸（ＯＡ）方向の厚みは、前記遊挿孔（１４２Ｂａ，４３Ａ）が設けられている部分より厚く、前記ガイドバー（１５０）の一方には、前記レンズ枠（Ｆ４）の貫通孔（４２Ａ、１４２Ａａ）と前記軸保持枠（１４２）の遊挿孔（１４２Ｂａ，４３Ａ）が挿入され、前記ガイドバー（１５０）の他方には、前記レンズ枠（Ｆ４）の遊挿孔（１４２Ｂａ，４３Ａ）と前記軸保持枠（１４２）の貫通孔（４２Ａ、１４２Ａａ）が挿入されていること、を特徴とするレンズ鏡筒（２０）である。
請求項７に記載の発明は、請求項１から６のいずれか１項に記載のレンズ鏡筒（２０）であって、前記レンズ鏡筒（２０）は、焦点距離を変更可能なズームレンズ鏡筒（２０）であり、前記被写体側腕部（２３１）と前記中継腕部（１４１）と前記マウント側腕部（１１２）との相対位置関係は、焦点距離に応じて変化することを特徴とするレンズ鏡筒（２０）である。
請求項８に記載の発明は、請求項１から請求項７のいずれか１項に記載のレンズ鏡筒（２０）を備える撮像装置（１）である。
なお、符号を付して説明した構成は、適宜改良してもよく、また、少なくとも一部を他の構成物に代替してもよい。
【発明の効果】
【０００７】
本発明によれば、良好な光学性能を有するレンズ鏡筒および撮像装置を提供することができる。
【図面の簡単な説明】
【０００８】
【図１】本発明の一実施形態を適用したカメラを模式的に示し、レンズ鏡筒の焦点距離が広角端の状態の図である。
【図２】図からレンズ鏡筒の焦点距離が望遠側に変化した状態を示す図である。
【図３】第１実施形態における絞り機構の構成を説明する概念斜視図である。
【図４】図１における絞り機構部分の拡大図である。
【図５】第１実施形態における絞り機構の作用を説明する平面図である。
【図６】第２実施形態における絞り機構部分の拡大図である。
【図７】振動抑制連結部材を示す図である。
【図８】第２実施形態に係る絞り機構の構成を説明する概念斜視図である。
【図９】第３実施形態に係る絞り機構の構成を説明する概念斜視図である。
【図１０】第４実施形態に係る絞り機構の構成を説明する概念斜視図である。
【発明を実施するための形態】
【０００９】
（第１実施形態）
以下、図面等を参照して、本発明の実施形態を説明する。
図１および図２は、本発明におけるレンズ鏡筒および撮像装置の一実施形態を適用したカメラ１を模式的に示す図である。図１はレンズ鏡筒２０の焦点距離が広角端の状態を示し、図２はレンズ鏡筒２０の焦点距離が望遠側に変化した状態を示す。
【００１０】
なお、以下に説明する各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸ軸プラス方向、正位置において上側に向かう方向をＹ軸プラス方向、正位置において被写体に向かう方向をＺ軸プラス方向とする。また、以下の説明では、光軸ＯＡと平行な方向を「前後」とし、被写体側を「前面側」、他端側を「背面側」とそれぞれ称する。
【００１１】
カメラ１は、カメラボディ１０と、レンズ鏡筒２０とにより構成されている。
カメラボディ１０は、被写体の光学像を電気信号に変換する撮像素子１１と、絞りの設定を行うボディ側連動部１２と、ボディ側連動部１２を駆動する駆動部１３とを備えている。
【００１２】
レンズ鏡筒２０は、カメラボディ１０に着脱可能な交換レンズである。なお、本実施形態では、レンズ鏡筒２０は、交換レンズである例を示したが、これに限らず、カメラボディと一体型のレンズ鏡筒であってもよい。
レンズ鏡筒２０は、焦点距離が可変のいわゆるズームレンズである。レンズ鏡筒２０は、外形を形成する外筒２１の内部に、結像光学系を構成する複数のレンズ群（第１レンズ群Ｌ１，第２レンズ群Ｌ２，第３レンズ群Ｌ３，第４レンズ群Ｌ４）と、結像光学系の絞り開口径を調整する絞り機構１００等を備えている。
【００１３】
外筒２１の内部には、固定筒２２と、カム筒２３とが、同心状に配設されている。
外筒２１の基端部（背面側の端部）には小径のフランジ部２１Ａが形成されており、このフランジ部２１Ａに、当該フランジ部２１Ａを挟んで外側のレンズマウント２４と内側の固定リング２５とが共締め固定されている。レンズマウント２４は、レンズ鏡筒２０をカメラボディ１０に結合する部材である。また、外筒２１の外周には、ズーム操作環２６が回転可能に装着されている。
【００１４】
固定筒２２は、基端が固定リング２５に結合され、外筒２１に対して相対回転不能に固定されている。
カム筒２３は、固定筒２２の内周に回転可能に嵌合している。カム筒２３は、図示しない連動機構を介してズーム操作環２６と連繋されており、ズーム操作環２６の回転に連動して回転するようになっている。
【００１５】
結像光学系を構成する各レンズ群Ｌ１，Ｌ２，Ｌ３，Ｌ４は、それぞれレンズ枠（第１レンズ枠Ｆ１，第２レンズ枠Ｆ２，第３レンズ枠Ｆ３，第４レンズ枠Ｆ４）に保持されており、各レンズ枠Ｆ１，Ｆ２，Ｆ３，Ｆ４を介してカム筒２３の内周に配設されている。
【００１６】
第１レンズ群Ｌ１と第２レンズ群Ｌ２とは、ズーミングおよびフォーカシングレンズ群であって、外筒２１の外周に設けられたズーム操作環２６および図示しない合焦モータ等と詳細な説明は省略する連繋機構を介して連繋しており、ズーム操作環２６の回転操作および合焦モータ等の回転によって光軸ＯＡ方向に所定の関係で移動するようになっている。
【００１７】
また、第３レンズ群Ｌ３と第４レンズ群Ｌ４とは、ズーミングレンズ群であって、ズーム操作環２６の回転操作によるカム筒２３の回転によって、光軸ＯＡ方向に所定の関係で移動する。
すなわち、第３レンズ枠Ｆ３は、その外周にフォロアピン３１が植設されており、フォロアピン３１は、カム筒２３に形成されたカム溝２３Ａに嵌合して貫通し、その先端が固定筒２２に形成された光軸ＯＡと平行な直進溝２２Ｓに嵌合している。また、第４レンズ枠Ｆ４は、その外周にフォロアピン４１が植設されており、フォロアピン４１は、カム筒２３に形成されたカム溝２３Ｂに嵌合して貫通し、その先端が固定筒２２に形成された直進溝２２Ｓに嵌合している。
【００１８】
カム筒２３に形成されたカム溝２２Ａ，２３Ｂは、それぞれ周方向における光軸ＯＡ方向の位置が所定の関係で変化する略螺旋状に形成されている。これにより、第３レンズ群Ｌ３および第４レンズ群Ｌ４（第３レンズ枠Ｆ３および第４レンズ枠Ｆ４）は、ズーム操作環２６の回転に連動するカム筒２３の回転によって、それぞれ所定の関係で光軸ＯＡ方向に移動駆動されるようになっている。なお、フォロアピン３１，４１は、たとえば、周方向に１２０°間隔で３本設けられている。この場合、カム溝２３Ｃおよび直進溝２２Ｓも、周方向に３本設けられている。
【００１９】
上記のように、結像光学系を構成する各レンズ群Ｌ１，Ｌ２，Ｌ３，Ｌ４は、ズーム操作環２６の回転操作によって所定の関係で光軸ＯＡ方向に相対変位し、これによって、結像光学系の合成焦点距離が変化（ズーミング）する。図１は焦点距離が最も短い広角端を示し、図２はズーム操作によって第３レンズ群Ｌ３および第４レンズ群Ｌ４が前面側（Ｚ軸プラス側）に移動した長焦点側（望遠側）を示している。
【００２０】
絞り機構１００は、外筒２１の基端部（レンズマウント２４の内側）に配設された絞り操作環１１０および開放制限板１２０と、第３レンズ枠Ｆ３の前面側に配設された絞りユニット２００と、両者の間に位置する第４レンズ枠Ｆ４に設けられた連動機構１４０と、によって構成されている。
絞り機構１００は、カメラボディ１０側の操作によって、絞り開口径を調整すると共に、レンズ鏡筒２０のズーム操作に応じて絞り開放開口径を調整する。この絞り機構１００については、後に詳述する。
【００２１】
上記のように構成されたレンズ鏡筒２０は、レンズマウント２４を介してカメラボディ１０に装着され、レンズ群Ｌ１，Ｌ２，Ｌ３，Ｌ４によって被写体像を撮像素子１１に結像させる。レンズ鏡筒２０は、ズーム操作環２６を回転操作してレンズ群Ｌ１，Ｌ２，Ｌ３，Ｌ４を光軸ＯＡ方向に移動させることで焦点距離が変化する。すなわち、図１に示す焦点距離が最も短い広角端から、ズーム操作によって第３レンズ群Ｌ３および第４レンズ群Ｌ４は前面側（Ｚ軸プラス側）に移動し、図２に示す長焦点側（望遠側）となる。
【００２２】
そして、上記のごとくカメラボディ１０とレンズ鏡筒２０とにより構成されたカメラ１は、レンズ鏡筒２０によって結像された被写体光像をカメラボディ１０が撮像素子１１によって電気信号に変換し、画像情報として図示しないメモリに記録する。
【００２３】
つぎに、前述した図１および図２に加え、図３〜図５を参照して、本構成の特徴である絞り機構１００について、詳細に説明する。
図３は、絞り機構１００の構成を説明する概念斜視図である。図４は、図１における絞り機構１００部分の拡大図である。図５は、絞り機構１００の作用を説明する平面図である。
【００２４】
絞り機構１００は、前述したように、絞り操作環１１０と、開放制限板１２０と、絞りユニット２００と、連動機構１４０と、により構成されている。
絞り操作環１１０は、カメラボディ１０側の絞り動作に応じて駆動される円環状の部材であって、レンズ鏡筒２０の基端部に固定されたレンズマウント２４の内側に回転可能に装着されている。絞り操作環１１０は、図示しない絞り操作環付勢バネによって後述する絞りユニット２００における絞り羽根２２０を開放操作する方向に回転付勢されている。
【００２５】
絞り操作環１１０は、レンズ側連動部１１１を備え、絞り操作アーム１１２と連結している。
レンズ側連動部１１１は、絞り操作環１１０の背面側（カメラボディ１０側）に突設されている。レンズ側連動部１１１は、カメラボディ１０に設けられたボディ側連動部１２と対応しており、このレンズ側連動部１１１がボディ側連動部１２に押圧操作され、絞り操作環１１０はボディ側連動部１２に連動して回転するようになっている。
【００２６】
絞り操作アーム１１２は、絞り操作環１１０の前面側（絞りユニット２００側）に、所定長さで延設されている。絞り操作アーム１１２は、所定幅で所定厚さの板状であって、その板面を光軸ＯＡに対向させて光軸ＯＡと平行に位置している。絞り操作アーム１１２には、その延設方向に沿って係合スリット１１３が形成されている。係合スリット１１３には、後述する連動機構１４０における連動レバー１４１の係合突起１４１Ａが嵌合しており、これによって絞り操作環１１０の回転を連動レバー１４１に伝達するようになっている。
【００２７】
開放制限板１２０は、所定幅の平板状の部材であって、基端部でレンズ鏡筒２０に固定され、光軸ＯＡと平行に配設されている。開放制限板１２０の絞りユニット２００の絞り開放側への回転方向と対向する端縁は、所定角度の補正勾配面となっており、この補正勾配面が後述する絞りユニット２００における第２操作突起２３２に当接することで、絞りユニット２００の開放絞り径を規定するようになっている。
【００２８】
絞りユニット２００は、保持部材２１０と、絞り羽根２２０と、絞り操作部材２３０と、固定枠２４０と、を備えている。なお、図３および図５では、固定枠２４０は省略してある。絞りユニット２００は、第３レンズ群Ｌ３を保持する第３レンズ枠Ｆ３の前面側に装着されており、第３レンズ枠Ｆ３と一体で光軸ＯＡ方向に移動するようになっている。
【００２９】
保持部材２１０は、絞りユニット２００の骨格を構成する円盤状の部材であって、第３レンズ枠Ｆ３の前面側に装着されている。
保持部材２１０の前面側には、絞り羽根２２０と、絞り操作部材２３０とが、装着されている。
絞り羽根２２０は、保持部材２１０と絞り操作部材２３０との間に、絞りの開口を形成する弓形の単位羽根部材を複数枚備えて構成されている。単位羽根部材は、保持部材２１０に枢支される枢着ピン２２１と、絞り操作部材２３０によって操作されるカムピン２２２と、を備えている。
【００３０】
絞り操作部材２３０は、中央に開口部を有する円環状の部材であって、絞り羽根２２０における単位羽根部材のカムピン２２２が摺動可能に嵌合するカム溝２２３を備え、固定枠２４０によって回転自在に支持されている。絞り操作部材２３０は、その回転によって、カム溝２２３が絞り羽根２２０を揺動操作し、絞り羽根２２０によって形成される絞り開口径を変化させる。絞り操作部材２３０は、図示しない付勢バネによって、絞り羽根２２０を開放操作する方向に付勢されている。
【００３１】
また、絞り操作部材２３０は、第１操作突起２３１と、第２操作突起２３２と、を備えている。第１操作突起２３１および第２操作突起２３２は、それぞれ所定幅の板状であって、絞り操作部材２３０の外周縁部から背面側に向けて、板面を光軸ＯＡに対向させた姿勢で光軸ＯＡと平行に所定長さに延設されている。
【００３２】
第１操作突起２３１は、絞り操作環１１０における絞り操作アーム１１２と対応している。第１操作突起２３１（図１，２）には、その延設方向に沿って所定幅の操作スリット２３３が形成されている。操作スリット２３３には、後述する連動機構１４０における連動レバー１４１の係合突起１４１Ｂが嵌合しており、これによって、第１操作突起２３１（すなわち絞り操作部材２３０）は、連動レバー１４１を介して絞り操作環１１０と連繋している。
第２操作突起２３２は、開放制限板１２０における操作板部１２２と対応しており、絞り操作部材２３０の絞り開放側への回転によって操作板部１２２に対して係合するようになっている。
【００３３】
連動機構１４０は、連動レバー１４１と、レバー保持枠１４２と、振動遮断部材１４４等により構成されている。
連動レバー１４１は、所定厚さの板状で所定長さに形成され、一方の端部に係合突起１４１Ａが、他方の端部に係合突起１４１Ｂが、それぞれ突設されている。連動レバー１４１は、その中央で、枢支軸１４３によってレバー保持枠１４２の外周面に揺動可能に装着されている。
【００３４】
レバー保持枠１４２は、断面形状Ｌ字状で、円環状に形成されている。ただし、円環に限定されず、円環の一部が欠けているような形状であっても良い。レバー保持枠１４２は、第４レンズ群Ｌ４を保持する第４レンズ枠Ｆ４の前面側の小径部に外挿されている。なお、図３は概念図であって、このレバー保持枠１４２の第４レンズ枠Ｆ４への外挿構造は示していない。
【００３５】
第４レンズ枠Ｆ４の前面と、レバー保持枠１４２の背面と、の間には、振動遮断部材１４４が介設されている。
振動遮断部材１４４は、所定の弾性を有するゴム等の弾性素材によって、矩形断面の円環状に形成されており、その両面で第４レンズ枠Ｆ４とレバー保持枠とにそれぞれ接着等によって固定されている。これにより、振動遮断部材１４４は、第４レンズ枠Ｆ４とレバー保持枠とを弾性的に連結しており、その緩衝作用によって両者の光軸ＯＡ方向の変位を許容して振動の伝達を遮断するように作用する。
【００３６】
連動レバー１４１を枢支する枢支軸１４３は、その中心軸が当該レンズ鏡筒２０の径方向に設定されており、これによって、連動レバー１４１は光軸ＯＡと平行な平面内において揺動するようになっている。
連動レバー１４１における背面側（図４中右側）端の係合突起１４１Ａは、外周側に突設されており、前述したように、絞り操作環１１０における絞り操作アーム１１２のスリット１１３に嵌合している。
また、連動レバー１４１における前面側（図４中左側）端の係合突起１４１Ｂは、内周側に突設されており、前述したように、絞りユニット２００における絞り操作部材２３０の第１操作突起２３１の操作スリット２３３に嵌合している。
【００３７】
上記のように構成された連動機構１４０は、図５に示すように、絞り操作環１１０の回転が、絞り操作アーム１１２を介して連動レバー１４１を揺動させ、連動レバー１４１の揺動が、第１操作突起２３１を介して絞りユニット２００における絞り操作部材２３０を回転操作する。
【００３８】
絞りユニット２００が装着された第３レンズ枠Ｆ３と、連動レバー１４１が装着された第４レンズ枠Ｆ４との、ズーミング操作による相対移動は、連動レバー１４１における係合突起１４１Ａ，１４１Ｂが、絞り操作アーム１１２の係合スリット１１３、または、絞り操作部材２３０の第１操作突起２３１の操作スリット２３３内を移動することで許容される。また、連動レバー１４１の揺動による係合突起１４１Ａ，１４１Ｂの変位も、係合スリット１１３またはスリット２３１Ａとの嵌合位置が変化することで許容される。
【００３９】
つまり、連動機構１４０は、第４レンズ枠Ｆ４に枢着された連動レバー１４１が、第３レンズ枠Ｆ３（第３レンズ群Ｌ３）と第４レンズ枠Ｆ４（第４レンズ群Ｌ４）の光軸ＯＡ方向における相対変位を許容しつつ、絞り操作環１１０と、絞りユニット２００における絞り操作部材２３０とを、連動させる。
【００４０】
そして、上記のように構成された絞り機構１００は、絞り操作時には、絞り操作環１１０の回転が連動レバー１４１を介して絞りユニット２００に伝達され、絞り羽根２２０を操作して所定の絞り開口に設定する。この絞り操作時において、連動レバー１４１を支持する第４レンズ枠Ｆ４には、操作力および操作振動が作用するが、これらの操作力および操作振動は、第４レンズ枠Ｆ４とレバー保持枠１４２との間に介設された振動遮断部材１４４によって、第４レンズ枠Ｆ４に伝わることなく遮断される。
これにより、絞り操作時における連動レバー１４１の振動が第４レンズ枠Ｆ４（第４レンズ群Ｌ４）に伝わることに起因する光学性能の劣化を抑制することができる。
【００４１】
（第２実施形態）
つぎに、図６〜図８に示す本発明の第２実施形態について説明する。図６は、第２実施形態における絞り機構１０２部分の拡大図であって、前述した第１実施形態における図４と対応する図である。図７は、振動抑制連結部材３００を示す拡大図である。図８は、第２実施形態に係る絞り機構１０２の構成を説明する概念斜視図である。
なお、本第２実施形態を適用するカメラおよびレンズ鏡筒の基本的な構成および作用は、前述した第１実施形態と同様であり、同機能の構成要素には同符号を付して説明は省略する。
【００４２】
第２実施形態における連動機構１４０は、連動レバー１４１を支持するレバー保持枠１４２が、第３レンズ枠Ｆ３の前面側に振動抑制連結部材３００を介して装着されている。
レバー保持枠１４２は、円環状に形成されており、その外周に連動レバー１４１が枢支軸１４３によって枢着されている。
【００４３】
また、レバー保持枠１４２は、その外周に固定筒２２の直進溝２２Ｓに嵌合するフォロアピン１４２Ｐを備えている。フォロアピン１４２Ｐは、直進溝２２Ｓのみに嵌合し、固定筒２２の外周側には突出しないように設定されている。
これにより、レバー保持枠１４２は、光軸ＯＡと直交する方向の移動が規制された状態で、直進溝２２Ｓに沿って光軸ＯＡ方向に移動可能に設けられている。
なお、本第２実施形態では、前述した第１実施形態とは異なり、固定筒２２はカム筒２３の内周側に位置している。
【００４４】
振動抑制連結部材３００は、図８（ａ）に拡大図を示すように、スタッドボルト３１０と、一対のＯリング３０１，３０２と、スプリング３０３等により構成されている。
スタッドボルト３１０は、所定径の軸の一端に大径の頭部３１１が形成され、他端にオネジ部３１２が形成されている。
Ｏリング３０１，３０２は、ゴム等の所定の弾性を有する素材によって断面形状が所定径の円形で、円環状に形成されている。
【００４５】
そして、スタッドボルト３１０は、レバー保持枠１４２をその前面側から貫通し、そのオネジ部３１２で第４レンズ枠Ｆ４の前面側に締着されている。
スタッドボルト３１０の頭部３１１とレバー保持枠１４２の前面の間には、Ｏリング３０１が介設されている。また、レバー保持枠１４２の背面と第４レンズ枠Ｆ４の前面との間には、Ｏリング３０１と、スプリング３０３とが、ワッシャ３０４を挟んで介設されている。
このような構成の振動抑制連結部材３００は、たとえば、周方向に１２０°間隔で３箇所配設されている。
【００４６】
これにより、レバー保持枠１４２は、振動抑制連結部材３０におけるＯリング３０１，３０２およびスプリング３０３の作用によって、第４レンズ枠Ｆ４に光軸ＯＡ方向には弾性的に支持されている。
また、レバー保持枠１４２は、その備えるフォロアピン１４２Ｐが固定筒２２の直進溝２２Ｓに嵌合しているため、第４レンズ枠Ｆ４の直進移動に伴って光軸ＯＡと直交する方向（ラジアル方向）にブレを生ずること無く移動する。
【００４７】
本第２実施形態では、絞り操作時に連動レバー１４１を介してレバー保持枠１４２に作用する操作力および操作振動は、振動抑制連結部材３００によって遮断される。
これにより、絞り操作時における連動レバー１４１の振動が第４レンズ枠Ｆ４（第４レンズ群Ｌ４）に伝わることに起因する光学性能の劣化を抑制することができる。
また、本構成では、レバー保持枠１４２は、フォロアピン１４２Ｐが固定筒２２の直進溝２２Ｓに嵌合して径方向および周方向の移動が規制されるため、連動レバー１４１の振動の影響をより軽減できる。
【００４８】
なお、振動抑制連結部材は、図７（ｂ）に示す振動抑制連結部材３００′ように、スプリング３０３を省いた構成としても良い。
すなわち、図７（ｂ）に示す振動抑制連結部材３００′では、スタッドボルト３１０′は、オネジ部３１２が突設された大径部３１１と、大径部３１１から延設された支持軸部３１３と、支持軸部３１３の先端の止めネジ３１４部と、を有している。スタッドボルト３１０′は、オネジ部３１２でレバー保持枠１４２に締着固定され、支持軸部３１３の先端にワッシャ３０６を介して締着されたナット３０５によってレバー保持枠１４２を脱落不能に支持している。大径部３１１とレバー保持枠１４２の間にＯリング３０２が介装され、レバー保持枠１４２とワッシャ３０６の間にＯリング３０１が介装されている。
【００４９】
（第３実施形態）
つぎに、本発明の第３実施形態について説明する。図９は、第３実施形態に係る絞り機構１０３の構成を説明する概念斜視図である。
なお、本第３実施形態が適用されるカメラおよびレンズ鏡筒の基本的な構成および作用は、前述した第１実施形態と同様であり、同機能の構成要素には同符号を付して説明は省略する。
【００５０】
本第３実施形態において、連動機構１４０の連動レバー１４１を支持するレバー保持枠１４２は、第４レンズ枠Ｆ４に連結されず、独立して構成されている。また、本第３実施形態では、第３レンズ群Ｌ３（第３レンズ枠Ｆ３）および第４レンズ群Ｌ４（第４レンズ枠Ｆ４）の直進移動を案内する一対のガイドバー１５０（第１ガイドバー１５１，第２ガイドバー１５２）を備えている。
一対のガイドバー１５０（１５１，１５２）は、光軸ＯＡを挟む略対称位置に、それぞれ光軸ＯＡと平行に配設されている。
【００５１】
第３レンズ枠Ｆ３と第４レンズ枠Ｆ４、およびレバー保持枠１４２は、それぞれ外周にガイドバー１５０と摺動移動可能に嵌合する軸受部（４２，４３，１４２Ａ，１４２Ｂ）を備えており、ガイドバー１５０に案内されて光軸ＯＡと平行に直進移動するように構成されている。なお、図９中、第３レンズ枠Ｆ３の軸受部は煩雑さを避けるために省略してあるが、以下に説明する第４レンズ枠Ｆ４と同様の軸受部を備える。
【００５２】
第４レンズ枠Ｆ４は、その外周に、第１ガイドバー１５１と嵌合する主軸受４２と、第２ガイドバー１５２と嵌合する従軸受４３と、を備えている。
主軸受４２は、第１ガイドバー１５１にガタ付くことなく摺動移動可能に嵌合する丸孔の軸受孔４２Ａを備え、軸方向には所定の嵌合幅に設定されている。
従軸受４３は、軸方向には所定厚さの板状であって、第２ガイドバー１５２にガタ付くことなく摺動移動可能に嵌合する外周側に開放したＵ字状の嵌合溝４３Ａを備えている。
これにより、主軸受４２と第１ガイドバー１５１とが専ら第４レンズ枠Ｆ４（第４レンズ群Ｌ４）の移動を案内し、従軸受４３と第２ガイドバー１５２とは軸受間の誤差の吸収と第４レンズ枠Ｆ４の回り止めとして機能するようになっている。
【００５３】
レバー保持枠１４２は、その外周に、第２ガイドバー１５２と嵌合する主軸受１４２Ａと、第１ガイドバー１５１と嵌合する従軸受１４２Ｂと、を備えている。
主軸受１４２Ａは、第２ガイドバー１５２にガタ付くことなく摺動移動可能に嵌合する丸孔の軸受孔１４２Ａａを備え、軸方向には所定の嵌合幅に設定されている。
従軸受１４２Ｂは、軸方向には所定厚さの板状であって、第１ガイドバー１５１にガタ付くことなく摺動移動可能に嵌合する外周側に開放したＵ字状の嵌合溝１４２Ｂａを備えている。
これにより、主軸受１４２Ａおよび第２ガイドバー１５２が専らレバー保持枠１４２の移動を案内し、従軸受４３と第１ガイドバー１５１とは軸受間の誤差の吸収とレバー保持枠１４２の回り止めとして機能するようになっている。
【００５４】
つまり、第４レンズ枠Ｆ４とレバー保持枠１４２とでは、第１ガイドバー１５１と第２ガイドバー１５２との役割が逆になるように設定されている。
このような第３実施形態の構成によれば、連動機構１４０の連動レバー１４１を支持するレバー保持枠１４２は、第４レンズ枠Ｆ４と連結されずに独立しているため、絞り羽根２２０を操作駆動する際に連動レバー１４１の操作振動が第４レンズ枠Ｆ４に伝わることがない。また、第４レンズ枠Ｆ４（第３レンズ枠Ｆ３も同様）と、レバー保持枠１４２とは、その主軸受４２，１４２Ａが異なるガイドバー１５１，１５２に嵌合して移動案内されるように構成されているため、レバー保持枠１４２に作用する操作力および操作振動のガイドバー１５０を介した第４レンズ枠Ｆ４への伝達を抑えることができる。その結果、絞り操作時に連動レバー１４１を介してレバー保持枠１４２に作用する操作力および操作振動に起因して第４レンズ群ｌ４が振動することによる光学性能の劣化を抑制できる。
【００５５】
さらに、第４レンズ枠Ｆ４を移動案内するガイドバー１５０を、レバー保持枠１４２の移動案内にも利用することにより、スペース効率が向上し、絞り機構１０３全体をコンパクトに構成することができる。
なお、本構成において、第３レンズ枠Ｆ３と第４レンズ枠Ｆ４および第４レンズ枠Ｆ４の移動駆動は、図示しないが、前述した第１実施形態のようにカム筒に形成されたカム溝に嵌合したフォロアピンによって行うように構成すれば良い。
【００５６】
（第４実施形態）
図１０は、本発明における第４実施形態に係る絞り機構１０４の構成を説明する概念斜視図である。
図１０に示す絞り機構１０４は、たとえば、前述した第３実施形態におけるガイドバーによる直進案内構成に対して、第４レンズ枠Ｆ４とレバー保持枠１４２とを同一のカム溝２２Ｂによって駆動する。
【００５７】
すなわち、本構成における絞り機構１０４では、レバー保持枠１４２の外周に植設されたフォロアピン１４２Ｐ′は、第４レンズ枠Ｆ４の外周に植設されたフォロアピン４１が嵌合する同一のカム溝２３Ｂ（図示しないカム筒に形成されている）に嵌合している。これにより、図示しないカム筒の回転によって、第４レンズ枠Ｆ４とレバー保持枠１４２とが同期して直進移動するようになっている。
【００５８】
本第４実施形態の構成によれば、連動機構１４０の連動レバー１４１を支持するレバー保持枠１４２は、第４レンズ枠Ｆ４と連結されずに独立しているため、絞り羽根２２０を操作駆動する際に連動レバー１４１の操作振動が第４レンズ枠Ｆ４に伝わることがない。これにより、絞り操作時に連動レバー１４１を介してレバー保持枠１４２に作用する操作力および操作振動に起因して第４レンズ群ｌ４が振動することによる光学性能の劣化を抑制できる。
【００５９】
また、レバー保持枠１４２は、第４レンズ枠Ｆ４を移動駆動する同一のカム溝２３Ｂによって移動駆動されるため、スペース効率が向上し、絞り機構１０３全体をコンパクトに構成することができる。
【００６０】
以上、本実施形態によると、以下の効果を有する。
絞り機構１００，１０２，１０３，１０４では、絞り操作時には、絞り操作環１１０の回転が連動レバー１４１を介して絞りユニット２００に伝達され、絞り羽根２２０を操作して所定の絞り開口に設定する。この絞り操作時において、連動レバー１４１に作用する操作力および操作振動の第４レンズ枠Ｆ４への伝達を抑制することができ、これによって、絞り操作時における連動レバー１４１の振動が第４レンズ枠Ｆ４（第４レンズ群Ｌ４）に伝わることに起因する光学性能の劣化を抑制することができる。
【００６１】
（変形形態）
以上、説明した実施形態に限定されることなく、以下に示すような種々の変形や変更が可能であり、それらも本発明の範囲内である。
本実施形態は、本発明を４組のレンズ群備え得るレンズ鏡筒に適用したものである。しかし、レンズ構成はこれに限るものではなく、これ以上またはこれ以下であっても良く、適宜変更可能である。
【符号の説明】
【００６２】
１：カメラ、１０：カメラボディ、１１：撮像素子、１２：ボディ側連動部、１３：駆動部、２０：レンズ鏡筒、２２：固定筒、２２Ｓ：直進溝、２３：カム筒、２３Ｂ：カム溝、Ｆ３：第３レンズ枠、３１：フォロアピン、４１：フォロアピン、４２：主軸受、４３：従軸受、１００，１０２，１０３，１０４：絞り機構、１１０：絞り操作環、１１２：絞り操作アーム、１４０：連動機構、１４１：連動レバー、１４２：レバー保持枠、１４２Ａ：主軸受、１４２Ｂ：従軸受、１４２Ｐ，１４２Ｐ′：フォロアピン、１４３：枢支軸、１４４：振動遮断部材、１５０；ガイドバー、１５１：第１ガイドバー、１５２：第２ガイドバー、２００：絞りユニット、２２０：絞り羽根、２３０：絞り操作部材、２３１：第１操作突起、３００，３００′：振動抑制連結部材、３０１，３０２：Ｏリング、３０３：スプリング、Ｆ３：第３レンズ枠、Ｆ４：第４レンズ枠、Ｌ３：第３レンズ群、Ｌ４：第４レンズ群、ＯＡ：光軸
【図１】
2013083694.tif 000003
【図２】
2013083694.tif 000004
【図３】
2013083694.tif 000005
【図４】
2013083694.tif 000006
【図５】
2013083694.tif 000007
【図６】
2013083694.tif 000008
【図７】
2013083694.tif 000009
【図８】
2013083694.tif 000010
【図９】
2013083694.tif 000011
【図１０】
2013083694.tif 000012